(57)【要約】【課題】  本発明は、会員の運動意欲と意識とを高めることで、継続的にスポーツジムに来て運動することを可能とする。【解決手段】  本発明のシステムは、運動した結果が自分の体形や体力維持向上としてだけでなく、その運動用具を使うことで電力という形で具体的な数値として表われる。また、発電した電力を買取るため、運動すればするほど、買取り電力が増えるので、益々運動に対する動機づけを高められるという利点がある。【選択図】図１
2016055138.tif 000002
【特許請求の範囲】
【請求項１】
発電機能を備えた運動用具で発電した電力に応じて、該電力を買取ることを特徴とするスポーツジムのシステム。
【請求項２】
運動用具を使って発生する、位置エネルギーや回転エネルギーや慣性エネルギー等で発電機を回転させて発電した電力に応じて、該電力を買取ることを特徴とするスポーツジムのシステム。
【請求項３】
請求項１の発生した電力又は相当の値が会員証に記録または表示されることを特徴とするスポーツジムのシステム。
【発明の詳細な説明】
【技術分野】
【０００１】  本発明は、スポーツジムやフィットネスクラブの運動用具に発電機能を備えており、その運動用具を使うことで発電した電力の買取りに関するものである。
【背景技術】
【０００２】  スポーツジムやフィットネスクラブは、体力維持や向上のために、会費を払って、運動用具を使用し、その負荷を掛けることで、エネルギーの消費をうながし、やせたり、筋力をアップすることで、健康維持、体力や筋力増強等をすることを目的としている。そのために、色々な種類の運動用具を準備したりして莫大な設備費用がかかることが多かった。【０００３】  しかし、会員が利用してもその効果が現れない又は現れにくいと、途中でやめてしまい長期的に会員を維持できなくなるという欠点があった。【０００４】  そのために、利用頻度に応じて、ポイントを与えて、ジム利用費の割引に利用したり、他でも利用できるポイントカードを使えるようにしているスポーツジムやフィットネスクラブもある。が、ジムで運動してエネルギーを消耗することにおいて、会員費用を払わなければならないというこの欠点は運動する上での意欲付けにはならず、大きな障害である。【０００５】  会員費用を払っているからしかたなくジムに来る。ジムに来てもその効果が現れない又は現れにくいと、金がもったいないから途中でやめてしまう。という状況に対して、現状は改善策がない。
【先行技術文献】
【特許文献】
【０００６】  なし。
【発明の概要】
【発明が解決しようとする課題】
【０００８】  解決しようとする問題点は、今までのスポーツジムやフィットネスクラブは運動用具や設備を使い、体力の維持や向上させる為に、会費を払うシステムであり、運動した結果は自分の体形や体力としてだけしか評価できなかった点である。
【課題を解決するための手段】
【０００９】  本発明のシステムは、スポーツジムの運動用具に発電機能を備えており、その運動用具を使うことで発電した電力を買取るため、会員への運動を続ける為の動機づけを高めることを最も主要な特徴とする。
【発明の効果】
【００１０】  本発明のシステムは、運動した結果が自分の体形や体力維持向上としてだけでなく、その運動用具を使うことで電力という形で具体的な数値として表われる。また、発電した電力を買取るため、運動すればするほど、買い取り電力が増えるので、益々運動に対する動機づけを高められるという利点がある。
【図面の簡単な説明】
【００１１】
【図１】エアロバイク型発電機の場合のこのシステムのブロック図を示す。
【図２】会員証に入力された発生電力又は発生ポイントを精算するブロック図である。
【図３】水循環プール発電装置の概念図である。
【発明を実施するための形態】
【００１２】    本発明のシステムは、スポーツジムの運動用具に発電機能を備えており、その運動用具を使うことで発電した電力を買取るため、会員への運動を続ける為の動機づけを高めることで、長期的に会員を維持することを実現した。
【実施例１】
【００１３】  図１において、１はエアロバイク型発電機である。２は発生した電力又はポイント表示とＩＣカード入力部である。エアロバイク型発電機１で発生した電力または相当のポイント数を表示すると共に、ＩＣカードである会員証にそのデータを入力する。【００１４】  この装置の記録部に会員証を載せて、エアロバイク型発電機１で運動すると、発生電力又は発生ポイントの表示とともに、会員証へそのデータが入力される。使う運動用具に応じて、発生する電力は異なるので、単に発生する電力だけを表示するだけでなく、運動用具に応じた系数を決めておいて、ポイントに換算して表示してもよい。会員証はＩＣカード機能を持つ、携帯電話であってもよい。【００１５】  ３はＡＣ−ＤＣコンバーターとよぶＡＣ−ＤＣ変換部である。ここで用いるＡＣ−ＤＣ変換部３は交流電気を直流電気に変換すると共に、出力の電圧又は電流も可変できる。そうすることで、エアロバイク型発電機１を駆動するための負荷を調整する。【００１６】  ４は蓄電部である。バッテリーや充放電可能な電池等からなる。５はＤＣ−ＡＣコンバーターとよぶＤＣ−ＡＣ変換部である。エアロバイク型発電機１を動かして発生した交流電力はＡＣ−ＤＣ変換部３を介して、蓄電部４に充電される。【００１７】  蓄電部４に充電された電力はＤＣ−ＡＣ変換部５を介して、屋内の電気機器の電力として使用したり、買電したりすることができる。【００１８】  図２は、会員証に入力された発生電力又は発生ポイントを精算するブロック図である。７はデータ読取り装置で、８は精算機である。【００１９】  会員証に記録された発生電力又は発生ポイントをデータ読取り装置７で読み取って、精算機８で、発生電力又は発生ポイントに対してキャッシュバックまたは会費減額等で精算する。【００２０】  図３の９は水循環プール発電装置の概念図である。図１のブロック図におけるエアロバイク型発電機１に相当する他の実施例である。構造を説明する。９１はプールでプラスチックからなり、内部に水を溜めることができる。透明であってもよい。９２は仕切りでプール９１の上部と下部の水を仕切っている。前後は上部と下部はつながっている。また、水が循環しやすいようなめらかなＲ形状になっている。プール９１と一体であってもよい。【００２１】９３は支持部で仕切り９２から上に伸びてその上に水泳をする人１０の体が前後に移動しないよう支える。水の循環の妨げにならないよう、流れ方向には断面を細く形成してある。９４は水で、人１０が支持部９３に支えられて泳ぐ姿勢になったとき、人１０を十分に浸すだけの深さにプール９１内に満たされている。【００２２】  ９５は発電機で、９６はプロペラで、９７は伝達軸である。発電機９５とプロペラ９６とは伝達軸９７で回転自在に連結されており、プロペラ９６が回転すると、回転軸９７を介して、発電機９５の軸が回転して発電する。図のように、人１０の後方の下方の位置に配置されている。【００２３】  次に動作を説明する。水９４が満たされた状態で、人１０が泳ぐ動作をすると、支持部９４で人１０は前後方向に固定されているので、反動で、水が後方に押しやられてプール９１の中を矢印の方向に循環が生じる。そこで、プロペラが水９４���流れを受けて、回転し、伝達軸９７を介して、発電機９５の軸が回転して発電する。【００２４】このように、人１０が水泳動作をすることで、水９４の循環を作り、発電が行われる。人１０は体を下から支えてもよいが、泳ぎの動作を妨げないよう、上からロープで支える構造であってもよい。
【産業上の利用可能性】
【００２５】  運動具を使って、運動をすればするほど、発生する電力量が増えるので、その分を買い取ってもらったり、会費が安くなったり、あるいは寄付することで、会員への運動に対する動機づけが高まることになる。このような装置であれば、買電しないで、個人の充電池を充電したり、携帯電話等の充電用途にしてもよい。【００２６】  発電機つき運動用具は直接回転力を発電機の回転エネルギーに変換する、エアロバイク型発電機やルームランナー型発電機やボートこぎ型発電機等があるが、運動用具の回転力や移動力を位置エネルギーやぜんまい等のばね力や空気圧、液体の位置エネルギー等に変換して後、発電機を回転させて発電するようにしてもよい。【００２７】  具体的には、ハンドルでぜんまいを巻いて巻き締めてエネルギーを蓄え、その後解放される力で発電機を回す。バルーンにポンプで空気を入れて膨らませたのち、その後その空気圧で発電機を回す。水車や、手動ポンプで、水を高所に揚水し、水の落差で発電機を回す。このような運動具であってもよい。
【符号の説明】
【００２８】１    エアロバイク型発電機
２    電力表示とＩＣカード入力部
３    ＡＣ−ＤＣ変換部
４    蓄電部
５    ＤＣ−ＡＣ変換部
６    電力消費先
７    データ読取り装置
８    精算機
９    水循環プール発電機
９１  プール
９２  仕切り
９３  支持部
９４  水
９５  発電機
９６  プロペラ
９７  伝達軸
１０  人
【図１】
2016055138.tif 000003
【図２】
2016055138.tif 000004
【図３】
2016055138.tif 000005